(57)【特許請求の範囲】
【請求項１】
ハウジングと、
前記ハウジングに回転可能に支持される回転軸と、
前記回転軸と一体的に回転するシリンダブロックと、
前記シリンダブロックに形成される複数のシリンダボアと、
各シリンダボア内に収納されるピストンと、
前記ピストンの端部に設けられるシューと、
前記ハウジング内に収容されるとともに前記回転軸の回転軸線に直交する方向に対する傾角の変更が可能な斜板と、
前記斜板の傾角の変更を許容しつつ、且つ前記斜板を保持する斜板保持部と、を備え、
前記斜板は、前記シューが摺接する摺接面と、前記シリンダブロックとは反対側に向けて膨出する弧状に湾曲した摺動面を有する摺動部と、を備え、
前記斜板保持部は、前記摺動面に沿って延びるとともに前記摺動面が摺動する被摺動面を備え、
前記摺動面には、内部に作動油が供給される溝が形成されており、
前記斜板には、前記シリンダボア内の作動油を前記溝内に供給する供給孔が形成されており、
前記回転軸の回転に伴って前記シリンダブロックが回転して、各シューが前記摺接面に摺接しながら、各ピストンが前記回転軸の周囲を前記回転軸の周方向に移動することで、前記ピストンが前記斜板の傾角に応じたストロークで往復動する可変容量型斜板式液圧回転機であって、
前記供給孔には、前記シリンダボア内から前記溝内に供給される作動油の供給量を調節するオリフィスを有する着脱自在な取付部材が設けられていることを特徴とする可変容量型斜板式液圧回転機。
【請求項２】
前記斜板は、前記摺動部を一対備え、
一方の摺動部は、吐出行程中のピストンに対応する側に位置するとともに、他方の摺動部は、吸入行程中のピストンに対応する側に位置しており、
前記溝は、少なくとも前記一方の摺動部の摺動面に形成されていることを特徴とする請求項１に記載の可変容量型斜板式液圧回転機。
【請求項３】
前記供給孔における前記取付部材よりも前記摺接面側にオリフィスがさらに設けられていることを特徴とする請求項１又は請求項２に記載の可変容量型斜板式液圧回転機。
【請求項４】
前記供給孔は、
前記摺接面から前記摺動面に向けて延びた第１部分と、
前記第１部分と前記溝とを繋ぐとともに前記第１部分の延設方向とは異なる方向に延びた第２部分と、を有するものであって前記第１部分と前記第２部分との境界にて曲がっており、
前記取付部材は、前記供給孔における前記第２部分に設けられている請求項１〜３のうちいずれか一項に記載の可変容量型斜板式液圧回転機。
【発明の詳細な説明】
【技術分野】
【０００１】
本発明は、可変容量型斜板式液圧回転機に関する。
【背景技術】
【０００２】
可変容量型斜板式液圧回転機は、例えば、エンジン式のフォークリフトに搭載される油圧ポンプや、油圧モータとして使用されている。可変容量型斜板式液圧回転機は、油圧ポンプとして使用される場合には、作動油（作動流体）の吐出容量を可変とし、油圧モータとして使用される場合には、回転速度やトルクを可変とする。このような可変容量型斜板式液圧回転機のハウジング内には回転軸が回転可能に支持されている。回転軸には、回転軸と一体的に回転するシリンダブロックが設けられている。シリンダブロックには、複数のシリンダボアが回転軸の周囲に形成されている。各シリンダボア内にはピストンが収納されている。各ピストンの端部にはシューがそれぞれ設けられている。各シューは、リテーナプレートによって保持されている。
【０００３】
ハウジング内には、回転軸の回転軸線に直交する方向に対する傾斜角度（傾角）の変更が可能な斜板が収容されている。斜板におけるシリンダブロック側の端面は、各シューが摺接する平坦面状の摺接面になっている。そして、回転軸が回転してシリンダブロックが回転軸と一体的に回転すると、各シューが斜板の摺接面を摺接しながら、各ピストンが回転軸の周囲を回転軸の周方向に沿って移動する。これにより、各ピストンは、シリンダブロックの回転に伴って斜板の傾角に応じたストロークでシリンダボア内を往復動する。
【０００４】
斜板は、一対の摺動部を備えている。摺動部は、シリンダブロックとは反対側に向けて膨出する弧状に湾曲した摺動面を有する。また、ハウジングは、斜板の傾角の変更を許容しつつ、且つ斜板を保持する斜板保持部を備えている。斜板保持部は、一対の摺動部の摺動面に沿って延びるとともに摺動面が摺動する被摺動面を有する。そして、一対の摺動部の摺動面が斜板保持部の被摺動面を摺動することで、斜板の傾角が変更される。
【０００５】
ところで、斜板の傾角の変更に伴って、摺動部の摺動面が斜板保持部の被摺動面を摺動するため、摺動面と被摺動面との間では摩擦が生じる。そこで、摺動部の摺動面に溝を形成し、溝内に作動油を供給しているものが、例えば特許文献１に開示されている。斜板には、シリンダボア内の作動油を溝内に供給する供給孔（特許文献１では通孔）が形成されている。供給孔の途中にはオリフィスが設けられている。オリフィスは、シリンダボア内から溝内に供給される作動油の供給量を調節する。そして、溝内に供給された作動油の圧力によって、斜板をピストンに向けて押し返す力が発生し、摺動面と被摺動面との間に油膜が形成されることで、摺動面と被摺動面との面圧が低減され、斜板の傾角の変更に伴う摺動面と被摺動面との間の摩擦が低減される。
【先行技術文献】
【特許文献】
【０００６】
【特許文献１】特開２００２−２４２８２５号公報
【発明の概要】
【発明が解決しようとする課題】
【０００７】
このような可変容量型ピストンポンプにおいては、溝内に供給される作動油の供給量が多いほど、溝内に供給された作動油の圧力による斜板をピストンに向けて押し返す力が大きくなり、摺動面と被摺動面との間に形成される油膜の厚さが厚くなる。摺動面と被摺動面との間に形成される油膜の厚さが厚くなると、摺動面と被摺動面との面圧が低減され易くなり、斜板の傾角の変更に伴う斜板の動きの応答性が良くなる。斜板の傾角の変更に伴う斜板の動きの応答性が良過ぎると、斜板の傾角の変更が行われるときに、可変容量型ピストンポンプを駆動するエンジンに対して急激に負荷が加わってしまうため好ましくない。
【０００８】
一方、溝内に供給される作動油の供給量が少ないほど、溝内に供給された作動油の圧力による斜板をピストンに向けて押し返す力が小さくなり、摺動面と被摺動面との間に形成される油膜の厚さが薄くなる。摺動面と被摺動面との間に形成される油膜の厚さが薄くなると、摺動面と被摺動面との面圧が低減され難くなり、斜板の傾角の変更に伴う斜板の動きの応答性が悪くなる。斜板の傾角の変更に伴う斜板の動きの応答性が悪過ぎると、フォークリフトの荷役装置に対する作動油の供給量の制御を素早く行うことができなくなってしまうため好ましくない。
【０００９】
本発明は、上記課題を解決するためになされたものであって、その目的は、斜板の傾角の変更に伴う斜板の動きの応答性を調整することができる可変容量型斜板式液圧回転機を提供することにある。
【課題を解決するための手段】
【００１０】
上記課題を解決する可変容量型斜板式液圧回転機は、ハウジングと、前記ハウジングに回転可能に支持される回転軸と、前記回転軸と一体的に回転するシリンダブロックと、前記シリンダブロックに形成される複数のシリンダボアと、各シリンダボア内に収納されるピストンと、前記ピストンの端部に設けられるシューと、前記ハウジング内に収容されるとともに前記回転軸の回転軸線に直交する方向に対する傾角の変更が可能な斜板と、前記斜板の傾角の変更を許容しつつ、且つ前記斜板を保持する斜板保持部と、を備え、前記斜板は、前記シューが摺接する摺接面と、前記シリンダブロックとは反対側に向けて膨出する弧状に湾曲した摺動面を有する摺動部と、を備え、前記斜板保持部は、前記摺動面に沿って延びるとともに前記摺動面が摺動する被摺動面を備え、前記摺動面には、内部に作動油が供給される溝が形成されており、前記斜板には、前記シリンダボア内の作動油を前記溝内に供給する供給孔が形成されており、前記回転軸の回転に伴って前記シリンダブロックが回転して、各シューが前記摺接面に摺接しながら、各ピストンが前記回転軸の周囲を前記回転軸の周方向に移動することで、前記ピストンが前記斜板の傾角に応じたストロークで往復動する可変容量型斜板式液圧回転機であって、前記供給孔には、前記シリンダボア内から前記溝内に供給される作動油の供給量を調節するオリフィスを有する着脱自在な取付部材が設けられている。
【００１１】
これによれば、取付部材を供給孔に設けることで、取付部材を供給孔に設ける前に比べて、シリンダボア内から溝内に供給される作動油の供給量が変化する。よって、溝内に供給される作動油の圧力による斜板をピストンに向けて押し返す力を調節することができ、摺動面と被摺動面との間に形成される油膜の厚さを調節することができる。その結果として、摺動面と被摺動面との間で発生する摩擦力が調節されるため、斜板の傾角の変更に伴う斜板の動きの応答性を調整することができる。
【００１２】
上記可変容量型斜板式液圧回転機において、前記斜板は、前記摺動部を一対備え、一方の摺動部は、吐出行程中のピストンに対応する側に位置するとともに、他方の摺動部は、吸入行程中のピストンに対応する側に位置しており、前記溝は、少なくとも前記一方の摺動部の摺動面に形成されていることが好ましい。
【００１３】
可変容量型斜板式液圧回転機においては、ピストンの吐出行程によって作動油を吐出する際に作動油からピストンに作用する反力がピストン及びシューを介して斜板に作用し、摺動部の摺動面と斜板保持部の被摺動面との間の面圧が高くなる。よって、摺動面と被摺動面との間において、吐出行程中のピストンに対応する側の面圧は、吸入行程中のピストンに対応する側の面圧よりも高くなっており、被摺動面に局所的な負荷が作用することになるため、斜板の傾角の変更がスムーズに行われ難い。そこで、少なくとも一方の摺動部の摺動面に溝を形成することで、一方の摺動部の摺動面に形成された溝内に供給された作動油の圧力によって、斜板をピストンに向けて押し返す力が発生し、一方の摺動部の摺動面と被摺動面との間に油膜が形成されることで、一方の摺動部の摺動面と被摺動面との面圧が低減される。その結果、斜板保持部の被摺動面に局所的な負荷が作用し難くなり、斜板の傾角の変更をスムーズに行うことができる。
【００１４】
上記可変容量型斜板式液圧回転機において、前記供給孔における前記取付部材よりも前記摺接面側にオリフィスがさらに設けられていることが好ましい。
これによれば、斜板の傾角の変更に伴う斜板の動きの応答性をさらに調整することができる。
【発明の効果】
【００１５】
この発明によれば、斜板の傾角の変更に伴う斜板の動きの応答性を調整することができる。
【図面の簡単な説明】
【００１６】
【図１】実施形態における可変容量型ピストンポンプを示す側断面図。
【図２】斜板の斜視図。
【図３】斜板の縦断面図。
【図４】取付部材の周辺を拡大して示す断面図。
【発明を実施するための形態】
【００１７】
以下、可変容量型斜板式液圧回転機を可変容量型ピストンポンプに具体化した一実施形態を図１〜図４にしたがって説明する。なお、可変容量型ピストンポンプは、エンジン式のフォークリフトに搭載される油圧ポンプとして使用される。
【００１８】
図１に示すように、可変容量型ピストンポンプ１０は、ハウジング１１と、ハウジング１１に回転可能に支持される回転軸１２とを備えている。ハウジング１１は、有底筒状の第１ハウジング１３と、第１ハウジング１３の開口側に連結される有底筒状の第２ハウジング１４とを有する。
【００１９】
第１ハウジング１３の底壁１３ａには、回転軸１２における第１ハウジング１３側の部位が挿入される挿入孔１３ｈが形成されている。そして、回転軸１２における第１ハウジング１３側の部位は、軸受１５を介して第１ハウジング１３の底壁１３ａに回転可能に支持されている。
【００２０】
第２ハウジング１４の底壁１４ａには、回転軸１２における第２ハウジング１４側の部位が挿入される挿入孔１４ｈが形成されている。そして、回転軸１２における第２ハウジング１４側の部位は、軸受１６を介して第２ハウジング１４の底壁１４ａに回転可能に支持されている。
【００２１】
回転軸１２における第２ハウジング１４側の端部は、第２ハウジング１４から外部に突出している。そして、回転軸１２における第２ハウジング１４側の端部は、図示しない動力伝達機構を介して外部駆動源としてのエンジンに連結されている。回転軸１２は、エンジンの駆動により回転する。
【００２２】
第１ハウジング１３内には、シリンダブロック１７及び斜板１８が収容されている。シリンダブロック１７は、斜板１８よりも第１ハウジング１３の底壁１３ａ寄りに配置されている。シリンダブロック１７には、回転軸１２が貫通する貫通孔１７ａが形成されている。シリンダブロック１７は、小径部１７１と、小径部１７１よりも孔径が大きい大径部１７２とを有する。小径部１７１は、大径部１７２よりも第２ハウジング１４寄りに位置する。シリンダブロック１７は、小径部１７１が回転軸１２とスプライン嵌合されることにより回転軸１２と一体的に回転する。小径部１７１と軸受１５との間には付勢ばね１９が介在されている。
【００２３】
シリンダブロック１７には、シリンダボア１７ｈが回転軸１２の周囲に複数形成されている。複数のシリンダボア１７ｈは、同心円上に等間隔置きに配列されている。各シリンダボア１７ｈ内には、ピストン２０が往復動可能にそれぞれ収納されている。ピストン２０における斜板１８側の端部には、シュー２１が設けられている。ピストン２０には、ピストン２０の軸方向に貫通する貫通孔２０ｈが形成されている。シュー２１には、貫通孔２０ｈに連通するとともにシュー２１を貫通する貫通孔２１ｈが形成されている。
【００２４】
各シュー２１は、円環状のリテーナプレート２２に保持されている。リテーナプレート２２の内側には、リテーナプレート２２に固定されるピボット２３が設けられている。付勢ばね１９は、図示しないピンを介してピボット２３を斜板１８に向けて付勢している。これにより、リテーナプレート２２が斜板１８に向けて付勢され、各シュー２１が斜板１８におけるシリンダブロック１７側の端面に密着している。
【００２５】
図１及び図２に示すように、斜板１８は、回転軸１２が挿通される挿通孔１８ｈが形成された板状の本体部３１を備えている。そして、回転軸１２が挿通孔１８ｈに挿通されることにより、斜板１８が回転軸１２に取り付けられている。斜板１８は、回転軸１２の回転軸線Ｌに直交する方向に対する傾斜角度（傾角）の変更が可能である。
【００２６】
回転軸１２が回転してシリンダブロック１７が回転軸１２と一体的に回転すると、各シュー２１が斜板１８におけるシリンダブロック１７側の端面を摺接しながら、各ピストン２０が回転軸１２の周囲を回転軸１２の周方向に沿って移動する。これにより、各ピストン２０は、シリンダブロック１７の回転に伴って斜板１８の傾角に応じたストロークでシリンダボア１７ｈ内を往復動する。よって、斜板１８におけるシリンダブロック１７側の端面は、シュー２１が摺接する平坦面状の摺接面１８ａになっている。
【００２７】
図２に示すように、斜板１８は、本体部３１を両側から挟む位置に一対の摺動部３２を備えている。一対の摺動部３２は本体部３１と一体的に形成されている。一対の摺動部３２は、その一部が本体部３１におけるシリンダブロック１７とは反対側の端面よりも突出し、シリンダブロック１７とは反対側に向けて膨出する弧状に湾曲した摺動面３２ａを有する。一方の摺動部３２は、吐出行程中のピストン２０に対応する側に位置するとともに、他方の摺動部３２は、吸入行程中のピストン２０に対応する側に位置している。ここで、「吸入行程中のピストン２０」とは上死点側から下死点側に向けて移動しているピストン２０のことを言う。また、「吐出行程中のピストン２０」とは、下死点側から上死点側に向けて移動しているピストン２０のことを言う。
【００２８】
図１に示すように、第２ハウジング１４の内壁には、斜板１８の傾角の変更を許容しつつ、且つ斜板１８を保持する斜板保持部としてのブッシュ２５が設けられている。ブッシュ２５は弧状に湾曲した板状であり、摺動面３２ａに沿って延びるとともに摺動面３２ａが摺動する被摺動面２５ａを備えている。そして、一対の摺動部３２の摺動面３２ａが被摺動面２５ａを摺動することで、斜板１８の傾角が変更される。
【００２９】
斜板１８は、本体部３１におけるピストン２０の上死点に対応する側の縁部から外方に延設される被押圧部３３を備えている。被押圧部３３におけるシリンダブロック１７側の端面には収容凹部３３ａが形成されている。収容凹部３３ａには円柱状の接触部材３４ａが収容されている。接触部材３４ａは、収容凹部３３ａに収容された状態において、その一部が被押圧部３３におけるシリンダブロック１７側の端面から突出している。また、被押圧部３３におけるシリンダブロック１７とは反対側の端面には収容凹部３３ｂが形成されている。収容凹部３３ｂには円柱状の接触部材３４ｂが収容されている。接触部材３４ｂは、収容凹部３３ｂに収容された状態において、その一部が被押圧部３３におけるシリンダブロック１７とは反対側の端面から突出している。
【００３０】
第１ハウジング１３の底壁１３ａには、吸入ポート２６及び吐出ポート２７が形成されている。吸入ポート２６及び吐出ポート２７は、回転軸１２の周方向に沿って延びる半円弧状に形成されている。吸入ポート２６は、底壁１３ａにおいて、吸入行程中のピストン２０が収納された各シリンダボア１７ｈにそれぞれ連通可能な位置に設けられている。吐出ポート２７は、底壁１３ａにおいて、吐出行程中のピストン２０が収納された各シリンダボア１７ｈにそれぞれ連通可能な位置に設けられている。
【００３１】
シリンダブロック１７と第１ハウジング１３の底壁１３ａとの間には、バルブシート２８が設けられている。バルブシート２８には、吸入ポート２６とシリンダボア１７ｈとを連通する連通孔２８ａが形成されるとともに、吐出ポート２７とシリンダボア１７ｈとを連通する連通孔２８ｂが形成されている。そして、ピストン２０の往復動に伴って、作動油が吸入ポート２６から連通孔２８ａを介して吸入行程中のピストン２０が収納された各シリンダボア１７ｈに吸入されるとともに、吐出行程中のピストン２０が収納された各シリンダボア１７ｈ内の作動油が連通孔２８ｂを介して吐出ポート２７から吐出される。
【００３２】
第１ハウジング１３におけるシリンダブロック１７よりも回転軸１２の径方向外側には、ピストン収納凹部３５が形成されている。ピストン収納凹部３５には、コントロールピストン３６が収納されている。そして、ピストン収納凹部３５とコントロールピストン３６とによって制御圧室３５ａが区画されている。制御圧室３５ａには、吐出ポート２７から吐出された作動油の一部が供給される。制御圧室３５ａに供給される作動油の供給量は、図示しない制御弁によって制御される。コントロールピストン３６における斜板１８側の端面は、接触部材３４ａに当接している。
【００３３】
第２ハウジング１４の底壁１４ａには、有底筒状のバネ受け凹状部材３７が螺子３８によって取り付けられている。バネ受け凹状部材３７は、斜板１８に向けて開口している。バネ受け凹状部材３７内には、中空ピストン３９が挿入されている。中空ピストン３９の内部には、傾角増大ばね３９ａが収容されている。中空ピストン３９は、傾角増大ばね３９ａの付勢力によって、バネ受け凹状部材３７の底部から離間する方向へ付勢されている。そして、中空ピストン３９における斜板１８側の端面は、接触部材３４ｂに当接している。
【００３４】
上記構成の可変容量型ピストンポンプ１０において、制御圧室３５ａに供給される作動油の供給量が増大すると、制御圧室３５ａの圧力が高くなり、コントロールピストン３６が斜板１８に向けて移動する。すると、コントロールピストン３６は、傾角増大ばね３９ａの付勢力に抗して、斜板１８の傾角を減少させるように接触部材３４ａを介して斜板１８を押圧する。これにより、斜板１８の傾角が減少して、ピストン２０のストロークが小さくなり、吐出容量が減少する。一方、制御圧室３５ａに供給される作動油の供給量が減少すると、制御圧室３５ａの圧力が低くなり、傾角増大ばね３９ａの付勢力によって、中空ピストン３９が、斜板１８の傾角を増大させるように接触部材３４ｂを介して斜板１８を押圧する。これにより、斜板１８の傾角が増大して、ピストン２０のストロークが大きくなり、吐出容量が増大する。
【００３５】
図２及び図３に示すように、一方の摺動部３２の摺動面３２ａには、内部に作動油が供給される溝４０が形成されている。斜板１８には、吐出行程中のピストン２０が収納されたシリンダボア１７ｈ内の作動油を溝４０内に供給する供給孔４３が形成されている。供給孔４３の一端は溝４０内に開口するとともに他端は摺接面１８ａに開口している。そして、供給孔４３は、各シュー２１の貫通孔２１ｈに連通可能になっている。
【００３６】
図４に示すように、供給孔４３には、吐出行程中のピストン２０が収納されたシリンダボア１７ｈから溝４０内に供給される作動油の供給量を調節するオリフィス５０ｈを有する着脱自在な円筒状の取付部材５０が設けられている。取付部材５０の外周面には雄ねじ５０ａが形成されている。供給孔４３は、雄ねじ５０ａが螺合する雌ねじ孔４３ａを有する。取付部材５０の端面には、取付部材５０を供給孔４３に取り付ける際に用いられる図示しない取付治具が係合可能な係合凹部５０ｂが形成されている。そして、係合凹部５０ｂに取付治具を係合させた状態で、取付部材５０を摺動面３２ａ側から供給孔４３内に挿入し、取付治具を操作しながら取付部材５０を雌ねじ孔４３ａに対してねじ込む。これにより、雄ねじ５０ａが雌ねじ孔４３ａに対して螺進して、取付部材５０が供給孔４３に取り付けられる。
【００３７】
供給孔４３における取付部材５０よりも摺接面１８ａ側にはオリフィス４３ｈがさらに設けられている。オリフィス４３ｈは、吐出行程中のピストン２０が収納されたシリンダボア１７ｈ内から溝４０内に供給される作動油の供給量を調節する。
【００３８】
次に、本実施形態の作用について説明する。
溝４０内には、吐出行程中のピストン２０が収納されたシリンダボア１７ｈ内から貫通孔２０ｈ，２１ｈ及び供給孔４３を介して作動油が供給される。このとき、供給孔４３のオリフィス４３ｈ及び取付部材５０のオリフィス５０ｈによって、シリンダボア１７ｈ内から溝４０内に供給される作動油の供給量が調節されている。そして、溝４０内に供給された作動油の圧力によって、斜板１８をピストン２０に向けて押し返す力が発生し、一方の摺動部３２の摺動面３２ａと被摺動面２５ａとの間に油膜が形成されることで、一方の摺動部３２の摺動面３２ａと被摺動面２５ａとの間の面圧が低減される。これにより、斜板１８の傾角の変更に伴う摺動面３２ａと被摺動面２５ａとの間の摩擦が低減される。
【００３９】
このような可変容量型ピストンポンプ１０においては、溝４０内に供給される作動油の供給量が多いほど、溝４０内に供給された作動油の圧力による斜板１８をピストン２０に向けて押し返す力が大きくなり、摺動面３２ａと被摺動面２５ａとの間に形成される油膜の厚さが厚くなる。摺動面３２ａと被摺動面２５ａとの間に形成される油膜の厚さが厚くなると、摺動面３２ａと被摺動面２５ａとの面圧が低減され易くなり、斜板１８の傾角の変更に伴う斜板の動きの応答性が良くなる。
【００４０】
一方、溝４０内に供給される作動油の供給量が少ないほど、溝４０内に供給された作動油の圧力による斜板１８をピストン２０に向けて押し返す力が小さくなり、摺動面３２ａと被摺動面２５ａとの間に形成される油膜の厚さが薄くなる。摺動面３２ａと被摺動面２５ａとの間に形成される油膜の厚さが薄くなると、摺動面３２ａと被摺動面２５ａとの面圧が低減され難くなり、斜板１８の傾角の変更に伴う斜板の動きの応答性が悪くなる。
【００４１】
そこで、取付部材５０を供給孔４３に設けることで、取付部材５０を供給孔４３に設ける前に比べて、シリンダボア１７ｈ内から溝４０内に供給される作動油の供給量が変化する。よって、溝４０内に供給される作動油の圧力による斜板１８をピストン２０に向けて押し返す力が調節され、摺動面３２ａと被摺動面２５ａとの間に形成される油膜の厚さが調節される。その結果として、摺動面３２ａと被摺動面２５ａとの間で発生する摩擦力が調節されるため、斜板１８の傾角の変更に伴う斜板１８の動きの応答性が調整可能となる。
【００４２】
上記実施形態では以下の効果を得ることができる。
（１）供給孔４３には、オリフィス５０ｈを有する着脱自在な取付部材５０が設けられている。これによれば、取付部材５０を供給孔４３に設ける前に比べて、シリンダボア１７ｈ内から溝４０内に供給される作動油の供給量が変化する。よって、溝４０内に供給される作動油の圧力による斜板１８をピストン２０に向けて押し返す力を調節することができ、摺動面３２ａと被摺動面２５ａとの間に形成される油膜の厚さを調節することができる。その結果として、摺動面３２ａと被摺動面２５ａとの間で発生する摩擦力が調節されるため、斜板１８の傾角の変更に伴う斜板１８の動きの応答性を調整することができる。
【００４３】
（２）可変容量型ピストンポンプ１０においては、ピストン２０の吐出行程によって作動油を吐出する際に作動油からピストン２０に作用する反力がピストン２０及びシュー２１を介して斜板１８に作用し、摺動部３２の摺動面３２ａとブッシュ２５の被摺動面２５ａとの間の面圧が高くなる。よって、摺動面３２ａと被摺動面２５ａとの間において、吐出行程中のピストン２０に対応する側の面圧は、吸入行程中のピストン２０に対応する側の面圧よりも高くなっており、被摺動面２５ａに局所的な負荷が作用することになるため、斜板１８の傾角の変更がスムーズに行われ難い。そこで、少なくとも一方の摺動部３２の摺動面３２ａに溝４０を形成する。これによれば、一方の摺動部３２の摺動面３２ａに形成された溝４０内に供給された作動油の圧力によって、斜板１８をピストン２０に向けて押し返す力が発生し、一方の摺動部３２の摺動面３２ａと被摺動面２５ａとの間に油膜が形成されることで、一方の摺動部３２の摺動面３２ａと被摺動面２５ａとの面圧が低減される。その結果、ブッシュ２５の被摺動面２５ａに局所的な負荷が作用し難くなり、斜板１８の傾角の変更をスムーズに行うことができる。
【００４４】
（３）供給孔４３における取付部材５０よりも摺接面１８ａ側にオリフィス４３ｈがさらに設けられている。これによれば、斜板１８の傾角の変更に伴う斜板１８の動きの応答性をさらに調整することができる。
【００４５】
なお、上記実施形態は以下のように変更してもよい。
○  実施形態において、供給孔４３における取付部材５０よりも摺接面１８ａ側に、オリフィス４３ｈが形成されていなくてもよい。
【００４６】
○  実施形態において、他方の摺動部３２の摺動面３２ａに溝４０が形成されていてもよい。
○  実施形態において、第２ハウジング１４の内壁に、ブッシュ２５が設けられていなくてもよく、第２ハウジング１４の内壁の一部に、斜板１８を保持する斜板保持部が形成されていてもよい。
【００４７】
○  実施形態において、本体部３１と、一対の摺動部３２とが別部材であってもよく、各摺動部３２が本体部３１に対してボルト等によって取り付けられていてもよい。
○  実施形態において、可変容量型斜板式液圧回転機を、シリンダボア１７ｈへ供給される作動油によって、シリンダブロック１７を介して回転軸１２を回転させる油圧モータとして使用してもよい。可変容量型斜板式液圧回転機は、油圧モータとして使用される場合には、回転速度やトルクを可変とする。
【符号の説明】
【００４８】
１０…可変容量型ピストンポンプ（可変容量型斜板式液圧回転機）、１１…ハウジング、１２…回転軸、１７…シリンダブロック、１７ｈ…シリンダボア、１８…斜板、１８ａ…摺接面、２０…ピストン、２１…シュー、２５…斜板保持部としてのブッシュ、２５ａ…被摺動面、３２…摺動部、３２ａ…摺動面、４０…溝、４３…供給孔、４３ｈ…オリフィス、５０…取付部材、５０ｈ…オリフィス。
【図１】
0006447362.tif 000002
【図２】
0006447362.tif 000003
【図３】
0006447362.tif 000004
【図４】
0006447362.tif 000005